(57)【要約】【課題】鉄塔上において作業者の安全を確保するための安全ロープを通すロープ挿入孔を容易に仮設することができ、しかも、鉄塔上における作業をより安全に行うことのできるステップボルトを提供する。【解決手段】棒状のステップボルトＰの一部に、単数もしくは複数のロープ挿入孔Ｑを設ける。ロープ挿入孔Ｑは、前記ステップボルトＰに溶接により一体化されたコの字形金具５により形成されている。また、ロープ挿入孔Ｑは、前記ステップボルトＰに係脱可能なフックＦを通すことが可能となるよう、当該ステップボルトＰの太さよりも大きな孔径を有する。【選択図】図１
0003123882.tif 000002
【実用新案登録請求の範囲】
【請求項１】
棒状のステップボルトの一部に、単数もしくは複数のロープ挿入孔を設けたことを特徴とするステップボルト。
【請求項２】
前記ロープ挿入孔は、前記ステップボルトに着脱可能に取り付けられるコの字形金具により形成されている請求項１に記載のステップボルト。
【請求項３】
前記ロープ挿入孔は、前記ステップボルトに溶接により一体化されたコの字形金具により形成されている請求項１に記載のステップボルト。
【請求項４】
前記ロープ挿入孔は、前記ステップボルトに係脱可能なフックを通すことが可能となるよう、当該ステップボルトの太さよりも大きな孔径を有する請求項1乃至３のいずれかに記載のステップボルト。
【請求項５】
棒状のステップボルトに、単数もしくは複数のロープ挿入用の環状部材を設けたことを特徴とするステップボルト。
【請求項６】
前記環状部材は、前記ステップボルトに着脱可能に取り付けられる請求項５に記載のステップボルト。
【請求項７】
前記環状部材は、前記ステップボルトに溶接により一体化されている請求項５に記載のステップボルト。
【請求項８】
前記環状部材は、前記ステップボルトに係脱可能なフックを通すことが可能となる孔径を有する請求項５乃至７のいずれかに記載のステップボルト。
【請求項９】
ステップボルト自体が、環状に形成されていることを特徴とするステップボルト。
【請求項１０】
棒状のステップボルトに別の棒状部材を固定することにより、当該棒状部材とステップボルトとの間に、ロープ引っ掛け部を形成したことを特徴とするステップボルト。
【考案の詳細な説明】
【技術分野】
【０００１】
本考案は、送電線の鉄塔等に着脱可能に取り付けられ、当該鉄塔に作業員が昇降する時や、作業員が鉄塔上において作業する時等に使用されるステップボルトに関するものである。
【背景技術】
【０００２】
従来において、鋼管材を脚体に用いた建造物では、その昇降通路において、当該脚体に適宜間隔で複数の穿孔金具を設け、この穿孔金具にステップボルトを挿通してナットで固定していた。このとき、作業員以外の第三者の昇塔を防止するには、意図的にステップを設けず、作業員による工事が必要となった時にのみ、着脱可能なステップボルトを仮設して、昇降通路を形成するものであった。
【０００３】
また、このようなステップボルトとしては、例えば、特許文献１に開示されているように、ステップシャフトをＵ字先端部分に備えたステップ付ボルトと、ステップ付ボルトのＵ字先端部分で連繋される取付ボルトと、互いに連繋した状態で両ボルトを緊締させる当材とを備え、鉄塔の脚体に用いられているアングル鋼材の二個の面に、ステップ付ボルトと取付ボルトとをそれぞれ密着して設置するステップ取付装置なる技術が存在する。
【特許文献１】特開平１１−１８２０９６号公報
【考案の開示】
【考案が解決しようとする課題】
【０００４】
しかしながら、従来における鉄塔は、大口径鋼管材を用いていることから、昇降塔時の安全対策としての安全ロープを鋼管材に巻き付けることが困難であった。しかも、作業者はステップボルトを設置するに際し、両手を使ってステップボルトを取り付けることから、作業者は両足だけで自身の安定を図るという極めて危険な体勢での作業を余儀なくされていた。
【０００５】
特に、特許文献１に開示されているようなステップ取付装置は、ステップ付ボルト、取付ボルト、当材というような複数の部材により構成されているため、その持ち運びが非常に面倒であり、しかも、装置の取り付け作業・取り外し作業にかなりの手間と時間を要していた。
【０００６】
そこで、本考案は、如上のような従来存した諸事情に鑑み創案されたもので、鉄塔上において作業者の安全を確保するための安全ロープを通すロープ挿入孔を容易に仮設することができ、しかも、鉄塔上における作業をより安全に行うことのできるステップボルトを提供することを目的とする。
【課題を解決するための手段】
【０００７】
上述した目的を達成するため、本考案に係るステップボルトは、棒状のステップボルトの一部に、単数もしくは複数のロープ挿入孔を設けたことで、上述した課題を解決した。
【０００８】
また、前記ロープ挿入孔は、前記ステップボルトに着脱可能に取り付けられるコの字形金具により形成されていることで、同じく上述した課題を解決した。
【０００９】
さらに、前記ロープ挿入孔は、前記ステップボルトに溶接により一体化されたコの字形金具により形成されていることで、同じく上述した課題を解決した。
【００１０】
また、前記ロープ挿入孔は、前記ステップボルトに係脱可能なフックを通すことが可能となるよう、当該ステップボルトの太さよりも大きな孔径を有することで、同じく上述した課題を解決した。
【００１１】
加えて、棒状のステップボルトに、単数もしくは複数のロープ挿入用の環状部材を設けたことで、同じく上述した課題を解決した。
【００１２】
また、前記環状部材は、前記ステップボルトに着脱可能に取り付けられることで、同じく上述した課題を解決した。
【００１３】
この他、前記環状部材は、前記ステップボルトに溶接により一体化されていることで、同じく上述した課題を解決した。
【００１４】
また、前記環状部材は、前記ステップボルトに係脱可能なフックを通すことが可能となる孔径を有することで、同じく上述した課題を解決した。
【００１５】
さらに、ステップボルト自体が、環状に形成されていることで、同じく上述した課題を解決した。
【００１６】
また、棒状のステップボルトに別の棒状部材を固定することにより、当該棒状部材とステップボルトとの間に、ロープ引っ掛け部を形成したことで、同じく上述した課題を解決した。
【考案の効果】
【００１７】
本考案に係るステップボルトは、以上のように構成されているために、鉄塔上において作業者の安全を確保するための安全ロープを通すロープ挿入孔を容易に仮設することができ、しかも、鉄塔上における作業をより安全に行なうことができる。
【考案を実施するための最良の形態】
【００１８】
以下に、本考案を実施するための最良の形態を、図面を参照して説明する。
【００１９】
本考案に係るステップボルトPは、図１・図２に示すように、所定の長さの棒状部分を備え、この棒状部分にコの字形金具５を取り付けている。そして、この棒状部分の側面と、コの字形金具５の内側面により、所定のロープ挿入孔Ｑを形成している。
【００２０】
ステップボルトＰは、図１・図２に示すように、建造物の脚体である鋼管材に設置されているステップボルト取付部Ｒに、ナット３，４を用いて固定されるものである。
【００２１】
すなわち、ステップボルトＰは、図2に示すように、鋼材の加工によって、ステップシャフト１の基端部に二つのナット３，４をねじ込ませるためのネジ部２を螺設している。また、ステップシャフト1の先端には、フランジ状の頭部６が設けられている。そして、ステップシャフト１の中間部分には、コの字形金具５の両端部を長手方向に沿って溶接することにより、矩形状のロープ挿入孔Ｑが形成されている。
【００２２】
このように、ステップシャフト１とコの字形金具５とは、溶接やその他の固定手段を用いて強固に固定されている。そのため、建造物の昇降通路に複数のステップシャフト１を縦方向に取り付けたときは、図１に示すように、建造物への昇降通路のステップ用として、さらには、ロープ挿入孔Ｑに安全ロープＬを通して作業者が作業を行なう際の安全対策用として、強度的にも充分に満足するものとなる。
【００２３】
また、ステップシャフト１は、昇降作業員が常備している安全ロープＬ、ハンドロープの先端に連結されたフックＦが係合可能となるような太さとしてあり、昇降作業員の昇降時、作業時、休息時等に安全ロープＬ、ハンドロープをステップシャフ１に連結して転落防止の機能を充分に発揮し、より安全な昇降作業に供されるものである。
【００２４】
さらに、ロープ挿入孔Ｑは、前記ステップシャフト１に係脱可能なフックＦを通すことが可能となるよう、当該ステップシャフト１の太さよりも大きな孔径を有するように形成されている。これにより、図１に示すように、昇降作業員が常備している安全ロープＬの先端に連結されているフックＦを、ロープ挿入孔Ｑに通してから当該フックＦを昇降作業員の安全帯にある保持金具に係合することで、作業時や休息時の転落防止機能が充分に発揮され、より安全な昇降作業に供されるものである。
【００２５】
次に、以上のように構成されたステップボルトＰについて、使用・動作の一例を説明する。
【００２６】
まず、ステップシャフト１のネジ部２からナット４だけを外し、ナット３を残した状態にする。そして、図２に示すように、建造物の脚体である鋼管材に設置されているステップボルト取付部Ｒに設けた孔にネジ部２を挿入する。また、ステップボルト取付部Ｒの裏面側において、突出しているネジ部2にナット４をねじ込んで、ステップボルト取付部Ｒを２つのナット３，４により挟み込んだ状態とする。このようにして、ステップシャフト１自体を、ステップボルト取付部Ｒにしっかりと固定する。
【００２７】
そして、建造物の昇降通路に複数のステップシャフト１を縦方向に取り付けたときは、建造物への昇降通路のステップ用として使用される。また、図１に示すように、昇降作業員が常備している安全ロープＬの先端に連結されているフックＦをロープ挿入孔Ｑに通してから、当該フックＦを昇降作業員の安全帯の保持金具に係合した時には、作業者が作業を行なう際の安全対策用として使用される。
【００２８】
一方、図３には、本考案に係るステップボルトＰの他例が示されている。
【００２９】
本例においては、前記ロープ挿入孔Ｑは、前記ステップシャフト１と、ステップシャフト１に着脱可能に取り付けられるコの字形金具５によって形成されている。
【００３０】
すなわち、コの字形金具５の両側先端部にネジ部７が形成され、ステップシャフト１に穿設された取付孔９にコの字形金具５のネジ部７を挿入し、ステップシャフト１の反対側から突出しているネジ部７にナット８を取り付けて、ステップシャフト１にコの字形金具５を固定するのである。
【００３１】
また、図４にも、本考案に係るステップボルトＰの他例が示されている。
【００３２】
本例においては、前記ロープ挿入孔Ｑは、前記ステップシャフト１と、ステップシャフト１に取り付けた２個のコの字形金具５により形成されている。
【００３３】
すなわち、ステップシャフト１に対して左右対称位置にロープ挿入孔Ｑが２個形成されるように、２個のコの字形金具５がステップシャフト１に溶接により固定されているのである。
【００３４】
さらに、図５にも、本考案に係るステップボルトＰの他例が示されている。
【００３５】
本例においては、棒状のステップシャフト１に、ロープ挿入用の環状部材５１を取り付けている。
【００３６】
このとき、環状部材５１は、自身の外周側面に突設した一対の突起５２を、ステップシャフト１に穿設した取付孔９に嵌め入れ、ステップシャフト１の反対側に突出している突起５２部分を溶接等でステップシャフト１に固定している。
【００３７】
尚、環状部材５１は、突起５２の替わりに一対のネジ部７を設け、ステップシャフト１に穿設した取付孔９にネジ部７を挿入し、ステップシャフト１の反対側に突出しているネジ部７にナット８をねじ込むように構成しても良い。
【００３８】
また、図６にも、本考案に係るステップボルトＰの他例が示されている。
【００３９】
本例においては、ステップシャフト１自体が環状に形成されている。すなわち、ステップシャフト１部分を棒状に形成する替わりに、略矩形環状に形成するものである。
【００４０】
この他、本考案に係るステップボルトＰの他例として、図７（ａ）に示すように、ステップシャフト１に後方へ向けて傾斜した棒状部材６１を固定することにより、当該棒状部材６１とステップシャフト１との間にロープ引っ掛け部Ｓを形成しても良い。
【００４１】
このとき、棒状部材６１は、図７（ｂ）に示すように、その先端の一部が前記ステップシャフト１側に屈曲し、ロープ引っ掛け部Ｓに引っ掛けられた安全ロープＬの抜け外れを防止するための、鋭角尖端状の保持片６２を、前記棒状部材６１の先端に設けている。
【産業上の利用可能性】
【００４２】
本考案は、送電線の鉄塔等に着脱可能に取り付けられ、当該鉄塔に作業員が昇降する時や、作業員が鉄塔上において作業する時等に使用されるステップボルトとして、様々な現場において広く利用されるものである。
【図面の簡単な説明】
【００４３】
【図１】建造物の脚体である鋼管材に、ステップボルトを取り付けた使用状態の一例を示す斜視図である。
【図２】建造物の脚体である鋼管材に設置されているステップボルト取付部に設けた孔にネジ部を挿入し、ステップボルト取付部の裏面側において、突出しているネジ部にナットをねじ込んで、ステップボルト取付部を２つのナットにより挟み込んだステップボルトの取り付け状態を示す平面図である。
【図３】コの字形金具の両側先端部にネジ部が形成され、ステップシャフトに穿設された取付孔にコの字形金具のネジ部を挿入し、ステップシャフトの反対側から突出しているネジ部にナットを取り付けて、ステップシャフトにコの字形金具を固定している状態を示す平面図である。
【図４】ステップシャフトに対して左右対称位置にロープ挿入孔が２個形成されるように、２個のコの字形金具がステップシャフトに固定されている状態を示す平面図である。
【図５】環状部材の外周側面に突設した一対の突起を、ステップシャフトに穿設した取付孔に嵌め入れ、ステップシャフトの反対側に突出している突起部分を溶接する等して、環状部材をステップシャフトに固定している状態を示す平面図である。
【図６】ステップシャフト自体を、環状に形成している状態を示す平面図である
【図７】本考案に係るステップボルトの他例を示すもので、（ａ）はステップシャフトに棒状部材を取り付けた状態の斜視図、（ｂ）は保持片を棒状部材の先端に突設した状態の斜視図である。
【符号の説明】
【００４４】
Ｐ…ステップボルト
Ｑ…ロープ挿入孔
Ｒ…ステップボルト取付部
Ｆ…フック
Ｌ…安全ロープ
Ｓ…ロープ引っ掛け部
１…ステップシャフト
２…ネジ部
３…ナット
４…ナット
５…コの字形金具
６…頭部
７…ネジ部
８…ナット
９…取付孔
５１…環状部材
５２…突起
６１…棒状部材
６２…保持片
【図１】
0003123882.tif 000003
【図２】
0003123882.tif 000004
【図３】
0003123882.tif 000005
【図４】
0003123882.tif 000006
【図５】
0003123882.tif 000007
【図６】
0003123882.tif 000008
【図７】
0003123882.tif 000009